(57)【特許請求の範囲】
【請求項１】
所定の光学軸を有する光学送信部と光学受信部の少なくとも一つを端部に固定した電子回路と、
第一には、前記光学送信部及び前記光学受信部が収容された内部容器の少なくとも一つが備えられた前記光学送信部及び前記光学受信部の中心位置出し支持部と、第二には、中心を前記光学送信部及び前記光学受信部の光学軸上に位置づけられた少なくとも一つのレンズが備えられた前面壁を含む光学部とを含む光学ユニットと、
前記電子回路と前記光学ユニットを覆う容器であって、前記光学部の挿入時にその外縁が前端に当接する容器を備えた光電検出器（Ｐhotolectric detector）であって、
前記光学送信部及び前記光学受信部の中心位置出し支持部は、前記光学部の管状壁内に収容され、弾性体（elastomer）のモールドによって造られた成型部品であって、前記光学部の管状壁の内部表面に当接する柔軟性のある接合フランジを有することを特徴とする光電検出器。
【請求項２】
前記光学部は、第一には、前記中心位置出し支持部の前面の制止部品に、第二には、前記容器の前端に当接することを特徴とする請求項１に記載の光電検出器。
【請求項３】
前記光学送信部及び前記光学受信部は、前記容器の内部表面自身の弾力性により、前記支持部の前記容器中で調整され、弾力的に保持されることを特徴とする請求項１に記載の光電検出器。
【請求項４】
前記中心位置出し支持部は、位置合わせ用の容器の中に、前記光学送信部及び前記光学受信部の弾力的な中心位置合わせ及び封止のための少なくとも一つのモールド部品を備えたことを特徴とする請求項１に記載の光電検出器。
【発明の詳細な説明】
【０００１】
【産業上の利用分野】
本発明は、光電検出器に関し、特に、所定の光学軸を有する光学送信部及び光学受信部の少なくとも１つを端部に固定した電子回路を容器内部に備えた光電検出器に関する。
【０００２】
【従来の技術及び発明が解決しようとする課題】
このような受光装置は、周知の通り、プリント基板と、該プリント基板にそれぞれはんだ付けされた光学送信部及び光学受信部と、該２つの光学送受部の中心位置出し支持部とを備えている。この中心位置出し支持部には、装置に収容されるように管状の外側表面と、また、送受部の位置が定められる一般的な円筒状または円錐状でなる少なくとも１つの内部容器が備えられている。
【０００３】
検出器からの発射光及び被写体または風景からの反射光の視準をとるためには、レンズを含む光学部が通常配設される。この光学部は、中心が光学送信部及び光学受信部の光学軸に一致するように位置決めされたレンズが備えられた前面壁を有し、また、中心位置出し支持部の前面に備えられる場合やこのような中心位置出し支持部を管状壁で覆う場合もある。管状壁で覆う場合は、光学部自体が検出器の外装を形成する管状の容器に組み立てられる。このような組み立ては、光学部の外縁を管状の容器の開放端の先端に当接させることにより実現される。
【０００４】
また、検出器の製作にあたっては、環境、特に衝撃や振動に起因して感応しにくくするため、容器内部に弾性を有する樹脂を詰めることも知られている。容器の中の充填材には、しばしば不連続ができることから、容器の中身は外気から確実に封止されていることが望ましい。
【０００５】
この目的を達成するための既知の手段としては、接着剤により、光電検出器の隣接する部品間の結合部を封止し、またはこれらの部品を相互に固定し、またはこれらの部品が容器に固定するように光学送信部及び光学受信部の支持部または管状の光学部における間隙に密着接合を設ける方法がある。
【０００６】
本発明の目的は、上述した構成を有する型式の検出器における十分な封止を提供することにある。
【０００７】
【課題を解決するための手段】
本発明によれば、所定の光学軸を有する光学送信部と光学受信部の少なくとも一つを端部に固定した電子回路と、
第一には、前記光学送信部及び前記光学受信部が収容された内部容器の少なくとも一つが備えられた前記光学送信部及び前記光学受信部の中心位置出し支持部と、第二には、中心を前記光学送信部及び前記光学受信部の光学軸上に位置づけられた少なくとも一つのレンズが備えられた前面壁を含む光学部とを含む光学ユニットと、
前記電子回路と前記光学ユニットを覆う容器であって、前記光学部の挿入時にその外縁が前端に当接する容器を備えた光電検出器であって、
前記光学送信部及び前記光学受信部の中心位置出し支持部は、前記光学部の管状壁内に収容され、弾性体のモールドによって造られた成型部品であって、前記光学部の管状壁の内部表面に当接する柔軟性のある接合フランジを有することを特徴とする光電検出器が提供される。
【０００８】
本発明によれば、光学送信部及び光学受信部の中心位置出し支持部は、モールドによって造られ、光学部の管状壁の内部表面に適合する柔軟性のある接合フランジを外部表面に有し、弾性材料で成形された部品となっている。該弾性部は、接着剤や機械的接合部を用いることなく、その本来有する柔軟性により、光学送信部または光学受信部に優先的に適合される。
【０００９】
光学送信部及び光学受信部の中心位置出し支持部の柔軟性とフランジの存在は、容器の組立において、光学送信部及び光学受信部の支持部と光学部との間への樹脂の流れを阻止し、また、光電検出器が使用されるにあたり、水や湿気の容器の中への侵入を防止する。
【００１０】
【発明の実施の形態】
以下、添付図面を参照しながら、本発明にかかる光電検出器の実施の形態について詳述することにより、本発明により得られる利点と成果について説明する。
図１ないし図３に示す光電検出器は、プラスチックまたは金属材料で成形され、ねじを使用した搬送機構に適合するようにねじ山１１が外周に設けられている容器１０を備えている。
【００１１】
容器は、円筒状または三角柱の形状をしており、前方には光を通す光学部２０（後述）が、また、後方には接合部１２が設けられて接続ケーブル１３が通るようにしたキャップ１２で閉じられている。
【００１２】
容器の内枠１４には、電子回路が収容されている。この電子回路は、後端はケーブル１３に接続され、前端は２つの光学部品、即ち、Ｘ軸に平行、または、ほぼ平行な光学軸Ｘ１及びＸ２を有する光学送信部１６及び光学受信部１７に接続されたプリント基板１５によって実現する。このＸ軸は、ここでは円筒状容器の縦軸のことである。
【００１３】
光学ユニットは検出器の前面に配設される。光学ユニットは、光学部２０と光学送信部及び光学受信部の中心位置出し支持部３０でなる。支持部３０は、光学送信部１６及び光学受信部１７を収容し、かつ、これにより光学送信部及び光学受信部の光学軸Ｘ１及びＸ２の方向を正確に画定するために、容器の内枠１４の内部、しかも前方に取り付けられている。
【００１４】
中心位置出し支持部３０は、本実施形態では、円筒形状であるが、三角柱の形状でもよい管状の部材３１と、光学送信部１６及び光学受信部１７が封入される２つの内部容器３２、３３とを含む。容器３２、３３は、先端に進むにつれ内径が拡大した形状を一般的に有し、内壁３６によって分離された開口３４および３５を経由して、中心位置出し支持部の前方に向け開口している。
【００１５】
本実施の形態では、光学系２０は、ポリカーボネートまたはポリメタクリル酸メチルで形成された円筒部であり、第一に、支持部３０の部材３１を覆う管状壁２１と、第二に、光学送信部１６及び光学受信部１７にそれぞれ付随して設けられた２つのレンズ２２及び２３を配設した前面壁２４とを含む。
【００１６】
光学部は、容器に挿入され、図３に示すように、支持部３０の前方の止め具、即ち、封入部３１を延在させた支持部３０の前端３７と中央分離壁３６の前端と当接するように設けられた穿孔２５によって、支持部３０に突き当たって止まる。
【００１７】
本発明によれば、中心位置出し支持部３０は、第一に、位置調整用の内部容器の中に弾力的な調整により、モールドにより形成されるリブまたはこれに類似の形状の要素があるときは、なおこれとあいまって、光学送信部１６及び光学受信部１７の中心位置決めと接合とを確実に行う内側表面を提供する。
【００１８】
支持部は、第二に、管状部材３１の外部表面に、管状壁２１の内側表面２６に密着する環状の柔軟接合用フランジ３９を提供する。ここで「フランジ」とは、部材３１の外部に設けられた環状の何らかの部材を示すものとして理解される。
支持部３０は、中心位置決め及び接合用部材３８並びに柔軟性のあるフランジ３９と共に成型されてなる弾性部材であることが好ましい。光学送信部１６及び光学受信部１７の精密なフランジ１６ａ及び１７ａが支持部３０のショルダ部３２ａ及び３３ａで止まっているのは、特筆されるべきである。
【００１９】
この光電検出器の組立においては、先ず、光学送信部１６及び光学受信部１７が支持部３０に挿入され、プリント基板１５にはんだ付けされた後に、光学部２０と、光学送信部及び光学受信部を備え、プリント基板１５に連結された中心位置出し支持部３０とでなる集合部品が容器１０の内枠１４に差し込まれて、その後、光学系２０の外縁２７は、容器１０の前端１８に接したところで止まる。その後、容器の内枠１４は、後端から流し込まれた樹脂で充填され、これにより電子回路を樹脂の中に埋め、中心位置出し支持部３０は光学部２０に、さらに光学部２０は容器１０に、いずれも固定することができる。
【００２０】
【発明の効果】
本発明によれば、弾性材料で形成されたフランジ３９及び内部容器３２、３３の弾力的な位置調整機能及び／または内部容器３２、３３の外部表面のリブまたはこれに類似の形状の要素の存在により、過度の樹脂が開口３４、３５に流れ込むおそれがなくなる。
【００２１】
さらに、フランジ３９及び部材３８のような調整手段により、開口３４、３５への水分の浸入が防止される。
【図面の簡単な説明】
【図１】本発明にかかる光電検出器の中心軸に沿った断面図である。
【図２】図１に示す光電検出器の側面図である。
【図３】図１に示す光電検出器の前部の拡大断面図である。
【符号の説明】
１０  容器
１１  ねじ山
１２  キャップ
１３  接続ケーブル
１４  容器の内枠
１５  プリント基板
１６  光学送信部
１６ａ  光学送信部のフランジ
１７  光学受信部
１７ａ  光学受信部のフランジ
１８  容器１０の前端
２０  光学部
２７  光学部２０の外縁
３０  中心位置出し支持部
３１  管状部材
３２、３３  内部容器
３４、３５  内部容器３２、３３の開口
３６  中心分離壁
３９  フランジ
【図１】
0003722938.tif 000002
【図２】
0003722938.tif 000003
【図３】
0003722938.tif 000004